(57)【要約】【課題】  遊技者を飽きさせることなく、遊技者の興味をセンター役物に形成されたステージ上を転動せしめられる遊技球の行方に惹きつけることができる、新規な構造のパチンコ機を提供することを目的とする。【解決手段】  外周面の適当な部位に遊技球を吸着するための磁石１０６が設けられた回転ローラ７２が複数採用されていると共に、かかる複数の回転ローラ７２がフロントフロア６６から奥側に向かって並べられるように配設された状態で駆動手段１１６によって回転せしめられることにより、フロントフロア６６を転動せしめられる遊技球が複数の回転ローラ７２のうち最も手前側に配設された最手前ローラ７６から最も奥側に配設された最奥ローラ８０まで複数の回転ローラ７２を乗り継ぐようにしてフロントフロア６６より奥側の高い位置まで導かれるようになっている【選択図】      図４
2010042305.tif 000002
【特許請求の範囲】
【請求項１】
遊技球を転動せしめるためのステージが形成されたセンター役物を遊技領域の略中央に備えているパチンコ機において、
前記ステージが、手前側に位置せしめられるフロントフロアと、一軸回りに回動可能な状態で該フロントフロアから奥側に向かって前後方向に並べられるように配設された複数の回転ローラを含んで構成されていると共に、それら複数の回転ローラには、それぞれの外周面の適当な部位に、遊技球を吸着するための磁石が設けられており、該複数の回転ローラを回転せしめるための駆動手段によって該複数の回転ローラが回転せしめられることで、該フロントフロアを転動せしめられる遊技球が、該複数の回転ローラのうち最も手前側に配設された最手前ローラから最も奥側に配設された最奥ローラまで該複数の回転ローラを乗り継ぐようにして該フロントフロアより奥側の高い位置まで導かれるようになっていると共に、該最奥ローラによって該遊技球が導かれる前記センター役物の奥方には入球口が形成されており、該複数の回転ローラで導かれた該遊技球が該入球口に入球可能とされ、
前記複数の回転ローラが、何れも、テーパ筒状の外周面を有しており、該複数の回転ローラの小径側端部が互いに同じ側に位置せしめられるようにして配設されていることを特徴とするパチンコ機。
【発明の詳細な説明】
【技術分野】
【０００１】
本発明は、遊技球を転動せしめるためのステージが形成されたセンター役物を遊技領域の略中央に備えているパチンコ機に係り、特に、ステージ上での遊技球の転動に一層の変化をもたせて遊技者を楽しませることができる、新規な構造のパチンコ機を提供することにある。
【背景技術】
【０００２】
良く知られているように、パチンコ機の遊技というのは、パチンコ機に突設された操作ハンドルに回動可能に装着された発射レバーを遊技者が回動操作することで、遊技領域に向けて遊技球を発射することによって行われるようになっている。このように遊技領域に向けて発射された遊技球は、遊技領域に打ち込まれた多数の遊技釘や各種構造物等に当たりながら遊技領域を流下するようになっている。これにより、遊技領域を流下する遊技球というのは、遊技釘や各種構造物等に当たる度に、その流下方向が変化せしめられることとなり、その結果、遊技者は遊技球の流下方向を予測し難くなっている。そして、このように遊技球の流下方向を予測し難くすることで、遊技者が遊技球の挙動に対して一喜一憂することとなる。従って、遊技球の流下方向を予測し難くするということは、遊技者を楽しませるための一つの要因となっているのである。
【０００３】
ところで、パチンコ機というのは、一般的に、遊技領域の略中央において、そのパチンコ機自体を特徴付けるようなセンター役物が配設されている。具体的には、例えば、第１種パチンコ機における液晶表示器の表示画面の周囲に配設されたセンター飾り等が、それである。
【０００４】
このようなセンター役物には、遊技球を転動せしめるためのステージが形成されており、センター役物に形成された案内通路等を通ってステージ上に案内されてきた遊技球は、ステージ上を転動せしめられるようになっている。
【０００５】
そこにおいて、例えば、第１種パチンコ機では、一般的に、センター役物の下方において、液晶表示器を通じて行われる当落抽選の結果の報知を開始させるための始動入賞装置が配設されていることから、センター役物に形成されたステージには、ステージ上を転動せしめられる遊技球の始動入賞装置への入賞を容易にするために、ステージにおいて始動入賞装置の配設位置の上方に位置せしめられる部分に傾斜面が形成されていることが多い。従って、遊技者は、センター役物に形成されたステージ上を転動せしめられる遊技球の行方（転動方向）に対して非常に関心が高くなっているのである。
【０００６】
また、近年のパチンコ機においては、例えば、第１種パチンコ機の場合、液晶表示器として大型のものを採用する傾向があること等に起因して、センター役物自体が大きくなり、それによって、センター役物の遊技領域に占める割合が大きくなってきており、その結果、遊技領域が狭くなってきている。従って、センター役物に形成されたステージの存在が非常に重要となってきており、かかるステージが遊技領域の一部を構成しているといっても過言ではない。
【０００７】
そこで、センター役物に傾斜面を備えたステージを形成すると共に、かかるステージ上に複数の障害突起を設けるようにしたパチンコ機が提案されている（特許文献１参照）。
【０００８】
しかしながら、上述の如きパチンコ機においては、ステージ上を転動せしめられる遊技球の転動方向が遊技球の障害突起への接触に起因して変化せしめられるようになっていることから、ステージ上を転動する遊技球の転動方向を変化させる原理と遊技領域を流下する遊技球の流下方向を変化させる原理が同じものになってしまい、折角遊技球の転動方向を変化させても、面白みに欠けるという問題がある。
【０００９】
なお、このような問題に対処するために、特許文献２には、センター役物に形成されたステージ上に回転ドラムを一軸回りに回転可能に配設し、かかる回転ドラムが回転せしめられた際に、回転ドラム内に組み付けられた磁石に遊技球が吸引されて、遊技球が回転ドラムの回転によって誘導される場合があるパチンコ機が開示されているが、回転ドラムによって誘導される遊技球の動き自体が単調になってしまい、その動きに遊技者が飽きてしまうおそれがある。
【先行技術文献】
【特許文献】
【００１０】
【特許文献１】特開平１０−３３７３５９号公報
【特許文献２】特開２０００−６１０５９号公報
【発明の概要】
【発明が解決しようとする課題】
【００１１】
ここにおいて、本発明は上述の如き事情を背景として為されたものであり、その解決課題とするところは、遊技者を飽きさせることなく、遊技者の興味をセンター役物に形成されたステージ上を転動せしめられる遊技球の行方に惹きつけることができる、新規な構造のパチンコ機を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体に記載されたもの、或いはそれらの記載から当業者が把握することができる発明思想に基づいて認識されるものであることが理解されるべきである。
【００１３】
本発明の第一の態様は、遊技球を転動せしめるためのステージが形成されたセンター役物を遊技領域の略中央に備えているパチンコ機において、前記ステージが、手前側に位置せしめられるフロントフロアと、一軸回りに回動可能な状態で該フロントフロアから奥側に向かって前後方向に並べられるように配設された複数の回転ローラを含んで構成されていると共に、それら複数の回転ローラには、それぞれの外周面の適当な部位に、遊技球を吸着するための磁石が設けられており、該複数の回転ローラを回転せしめるための駆動手段によって該複数の回転ローラが回転せしめられることで、該フロントフロアを転動せしめられる遊技球が、該複数の回転ローラのうち最も手前側に配設された最手前ローラから最も奥側に配設された最奥ローラまで該複数の回転ローラを乗り継ぐようにして該フロントフロアより奥側の高い位置まで導かれるようになっていると共に、該最奥ローラによって該遊技球が導かれる前記センター役物の奥方には入球口が形成されており、該複数のローラで導かれた該遊技球が該入球口に入球可能とされていることを、特徴とする。
【００１４】
このような本態様に従う構造とされたパチンコ機においては、外周面の適当な部位に遊技球を吸着するための磁石が設けられた回転ローラが複数採用されていると共に、かかる複数の回転ローラがフロントフロアから奥側に向かって前後方向に並べられるように配設された状態で駆動手段によって回転せしめられることにより、フロントフロアを転動せしめられる遊技球が複数の回転ローラのうち最も手前側に配設された最手前ローラから最も奥側に配設された最奥ローラまで複数の回転ローラを乗り継ぐようにしてフロントフロアより奥側の高い位置まで導かれるようになっていることから、遊技球がフロントフロアから複数の回転ローラを乗り継いでフロントフロアより奥側の高い位置まで導かれる際の動きに様々なバリエーションをもたせて、遊技者が遊技球の動きを予測し難くすることが可能となる。
【００１５】
従って、本態様に係るパチンコ機においては、遊技球の動きに対して遊技者の興味を惹きつけることが可能となり、それによって、遊技者を楽しませることが可能となる。
【００１６】
特に、本態様においては、遊技球の動きが様々なバリエーションをもっていることから、遊技者に遊技球の動きを予測する楽しみも与えることが可能となり、それによって、遊技者を一層楽しませることが可能となる。
【００１７】
また、本態様においては、複数のローラによって導かれた遊技球はセンター役物の奥方に形成された入球口に入球可能とされていることから、遊技球の動き、延いては、遊技球が入球口に入球するか否かということに対して、遊技者の興味をより一層惹きつけることが可能となる。
【００１８】
さらに、本態様においては、遊技球が複数の回転ローラによってフロントフロアよりも奥側の高い位置に導かれるようになっていることから、遊技球の動きを遊技者に見えやすくすることが可能となる。
【発明の効果】
【００１９】
上述の説明から明らかなように、本発明に従う構造とされたパチンコ機においては、フロントフロアを転動せしめられる遊技球が最手前ローラから最奥ローラまで複数の回転ローラを乗り継ぐようにしてフロントフロアよりも奥側の高い位置に導かれる際の遊技球の動きを複雑なものにすることが可能となり、それによって、遊技球の動きを遊技者が予測できないようにすることが可能となり、その結果、遊技者を飽きさせずに楽しませることが可能となる。
【図面の簡単な説明】
【００２０】
【図１】本発明の一実施形態としてのパチンコ機の正面図である。
【図２】図１に示されたパチンコ機に採用されている遊技盤の正面図である。
【図３】図２に示された遊技盤に取り付けられているセンター飾りの正面図である。
【図４】図３に示されたセンター飾りの斜視図である。
【図５】図３に示されたセンター飾りに採用されている回転ドラムの単体図である。
【図６】図３に示されたセンター飾りに採用されている回転ドラムの駆動機構を説明するための斜視図である。
【図７】手前側回転ドラムにおける大径側端部付近に設けられた永久磁石に遊技球が吸着された状態を示す断面図であって、図３におけるＶＩＩ−ＶＩＩ方向の断面に相当する図である。
【図８】手前側回転ドラムにおける軸方向中央付近に設けられた永久磁石に遊技球が吸着された状態を示す断面図であって、図３におけるＶＩＩＩ−ＶＩＩＩ方向の断面に相当する図である。
【図９】奥側回転ドラムにおける軸方向中央付近に設けられた永久磁石に遊技球が吸着された状態を示す断面図であって、図３におけるＩＸ−ＩＸ方向に相当する図である。
【図１０】奥側回転ドラムにおける小径側端部付近に設けられた永久磁石に遊技球が吸着された状態を示す断面図であって、図３におけるＸ−Ｘ方向に相当する図である。
【図１１】軸方向で外径寸法が変化しない円筒状外周面を備えた回転ドラムを採用した場合の回転ドラムの配設状態を説明するための斜視図である。
【図１２】本発明を第二種パチンコ機における特別可変入賞装置に適用した場合の一具体例を示す斜視図である。
【図１３】外周面に突起が設けられた奥側回転ドラムの斜視図である。
【図１４】外周面に凹溝が形成された奥側回転ドラムの斜視図である。
【図１５】手前側回転ドラムと奥側回転ドラムの間に配設された障害突起の駆動方向を示す斜視図である。
【図１６】手前側回転ドラムと奥側回転ドラムの間に配設された障害突起の駆動方向を示す斜視図である。
【発明を実施するための形態】
【００２１】
以下、本発明を更に具体的に明らかにするために、本発明の実施形態について、図面を参照しつつ、詳細に説明する。なお、以下の説明において、左右方向とは、原則として、遊技者からみた左右方向をいうものとする。
【００２２】
図１には、本発明の一実施形態のパチンコ機１０が示されている。このパチンコ機１０は、縦長な方形状に枠組み形成された外枠１２を備えている。外枠１２には、その一側において開閉自在に軸支された状態で、パチンコ機の主要構成部の略全てが集約して設けられる中枠１４が組み付けられている。また、中枠１４の表側には、中枠１４に対して裏側から取り付けられた遊技盤１６を透視保護するためのガラス板を備えたガラス枠１８と、上皿２０を備えた皿板２２がそれぞれ中枠１４の一側に開閉自在に軸支された状態で組み付けられている。更にまた、上皿２０の下方には、下皿２４が設けられており、かかる下皿２４の右方には、発射ハンドル２６が突設されている。そして、遊技者が発射ハンドル２６に対して回動可能に装着された発射レバー２８を回動操作することにより、上皿２０に貯留された遊技球が球送り機構（図示せず）を介して発射装置（図示せず）に送られた後、遊技盤１６に形成された遊技領域３４に向けて発射されるようになっている。
【００２３】
続いて、遊技盤１６の構造について、図２に基づいて説明する。遊技盤１６は、表面に合成樹脂製のシートが被着された遊技板３０を備えており、かかる遊技板３０の表面側に固定されたガイドレール３２によって囲まれた略円形の遊技領域３４には、その略中央部分において液晶表示器３６，かかる液晶表示器３６の下方において始動入賞装置３８や特別可変入賞装置４０等の各種構造物が固定的に設けられている。
【００２４】
そして、遊技領域３４に向けて発射された後、遊技領域３４を流下せしめられる遊技球が始動入賞装置３８に入賞すると、液晶表示器３６の表示画面において複数の特別図柄（図示せず）の変動表示が開始され、それら複数の特別図柄の変動表示が所定時間行われる。その後、複数の特別図柄が特定の停止表示態様で停止表示されると、所謂大当たり遊技状態が発生し、通常の遊技状態では特別可変入賞装置４０の入口を塞いでいる扉４２が予め定められた作動条件に従って開閉作動せしめられるようになっている。これにより、特別可変入賞装置４０の入口が開放されて、特別可変入賞装置４０への遊技球の入賞が可能となり、その結果、遊技者は通常の遊技状態では得ることができない利益（賞球）を得ることが可能となる。このことから明らかなように、本実施形態では、パチンコ機１０は、所謂第１種パチンコ機とされている。
【００２５】
また、液晶表示器３６の表示画面の周囲には、液晶表示器３６の周囲を装飾するためのセンター役物としてのセンター飾り４４が配設されている。このセンター飾り４４は、図３及び４にも示されているように、全体として、貫通孔４６を有する本体枠４８の一方の開口端に対して外方に広がる取付板５０が一体的に設けられた構造とされており、遊技板３０に形成された取付孔（図示せず）に本体枠４８が挿通された状態で取付板５０によって遊技板３０の表面側から取り付けられるようになっている。そこにおいて、本実施形態では、貫通孔４６における他方の開口端の断面の大きさおよび形状が液晶表示器３６の表示画面の大きさおよび形状と対応しており、それによって、遊技盤１６（遊技板３０）の裏側に配設された液晶表示器３６の表示画面が貫通孔４６を通じて視認可能とされている。
【００２６】
さらに、本体枠４８における取付板５０が形成されたほうの開口端には、貫通孔４６よりも上方に位置せしめられる部分において、本体枠４８における取付板５０が形成されたほうの開口端面から突出せしめられた庇５２が形成されており、かかる庇５２は、貫通孔４６の上方から左右両側にまで延び出している。そして、庇５２における貫通孔４６の上方に位置せしめられる部分には、表側（ガラス枠１８側）に開口する凹室５４が形成されており、かかる凹室５４内には、キャラクタ人形５６と、複数（本実施形態では２つ）のスポットライト５８，５８が配設されている。
【００２７】
また、センター飾り４４には、庇５２における凹室５４が形成されていない部分の内部および本体枠４８の内部を利用してワープ通路６０ａ，ｂが形成されており、庇５２における貫通孔４６の上方に位置せしめられる部分の外側に形成されたワープ入口６２ａ，ｂから入った遊技球が、ワープ通路６０ａ，ｂを通って、本体枠４８の下端に形成されたワープ出口６４ａ，ｂから、フロントフロア６６に案内されるようになっている。
【００２８】
このフロントフロア６６は、本体枠４８における貫通孔４６よりも下方に位置せしめられる部分の一方の開口端側に形成されている。また、フロントフロア６６における遊技球が転動せしめられる転動面は、左右方向に延びる長手方向の中央部分において下側に向かって僅かに凸となる緩やかな凹状湾曲面とされており、中央に向かって左右両側から次第に下がる傾斜が与えられていると共に、その奥行き寸法は、遊技球の直径よりも大きくされている。更にまた、フロントフロア６６における長手方向中央部分には、本体枠４８の一方の開口端側に向かって下る傾斜面６８が形成されており、フロントフロア６６を転動せしめられる遊技球が傾斜面６８に沿って本体枠４８の一方の開口端側に向かって転動せしめられることで、遊技領域３４に放出されるようになっている。特に、本実施形態では、かかる傾斜面６８は、後述する共通壁部８４の前方に位置せしめられている。
【００２９】
また、本体枠４８における貫通孔４６よりも下方に位置せしめられる部分には、フロントフロア６６の奥側において、本体枠４８の内周面側に開口する収容穴７０が複数（本実施形態では、２つ）形成されている。なお、これら二つの収容穴７０ａ，ｂは、本体枠４８を貫通していても良いし、貫通していなくても良い。因みに、本実施形態では、二つの収容穴７０ａ，ｂは、それぞれ、本体枠４８を貫通しないように形成されている。
【００３０】
このように本体枠４８に形成された二つの収容穴７８ａ，ｂには、それぞれ、複数（本実施形態では、二つ）の回転ローラとしての回転ドラム７２が配設されている。そこにおいて、本実施形態では、これら４つの回転ドラム７２は、互いに同じ形状および大きさとされている。具体的には、各回転ドラム７２は、図５に単体図が示されているように、軸方向一方から他方に行くに従って次第にその外径寸法が小さくなるテーパ筒状外周面７４を備えている。なお、各回転ドラム７２のテーパ筒状外周面７４のテーパ角度：αは、パチンコ機１０の遊技性によって適当に設定されるものであるが、２〜１５度の範囲に設定されることが望ましい。
【００３１】
そして、このような構造とされた回転ドラム７２は、フロントフロア６６から奥側に向かって前後方向に並ぶようにして、各収容穴７０内に二つずつ配設されている。そこにおいて、本実施形態では、各収容穴７０内に配設された二つの回転ドラム７２，７２は、それぞれ、その小径側の端部が他の収容穴７０側に位置せしめられている。また、各収容穴７０内に配設された二つの回転ドラム７２，７２は、それぞれ、各回転ドラム７２に対して同一中心軸上で固定的に組み付けられた駆動軸の両端が各収容穴７０の左右の壁部によって回転可能に支持されており、それによって、各収容穴７０内に配設された二つの回転ドラム７２，７２は、何れも、一軸回りに回転可能とされている。
【００３２】
そこにおいて、本実施形態では、図６に示されているように、各収容穴７０内において手前側に配設された回転ドラム７２（以下、手前側回転ドラム７６と称する）の駆動軸７８は共通とされており、それによって、二つの手前側回転ドラム７６ａ，ｂは、小径側の端部で向き合うようにして同一直線上に位置せしめられている。また、各収容穴７０において奥側に配設された回転ドラム７２（以下、奥側回転ドラム８０と称する）の駆動軸８２は、別個のものによって構成されているが、それら二つの駆動軸８２ａ，ｂは、同一直線上に位置せしめられており、特に、本実施形態では、二つの奥側回転ドラム８０ａ，ｂの駆動軸８２ａ，ｂは、それぞれ、二つの手前側回転ドラム７６ａ，ｂの駆動軸７８に対して平行とされている。そして、本実施形態では、二つの奥側回転ドラム８０ａ，ｂは、小径側の端部で向き合うようにして同一直線上に位置せしめられている。
【００３３】
また、本実施形態では、二つの奥側回転ドラム８０ａ，ｂの駆動軸８２ａ，ｂは、それぞれ、二つの手前側回転ドラム７６ａ，ｂの駆動軸７８よりも上方に位置せしめられていると共に、二つの奥側回転ドラム８０ａ，ｂの駆動軸８２ａ，ｂおよび二つの手前側回転ドラム７６ａ，ｂの駆動軸７８は、それぞれ、水平方向に延びるようになっている。更に、本実施形態では、手前側回転ドラム７６と奥側回転ドラム８０の間に形成された隙間は、各回転ドラム７２の軸方向の全体に亘って遊技球の直径よりも小さくされており、その大きさは、各回転ドラム７２の小径側端部の間において最大となっている。更にまた、本実施形態では、手前側回転ドラム７６と収容穴７０における手前側の壁部（フロントフロア６６）との間に形成された隙間は、手前側回転ドラム７６の軸方向の全体に亘って遊技球の直径よりも小さくされており、その大きさは、手前側回転ドラム７６の小径側端部側で最大となっている。また、本実施形態では、奥側回転ドラム８０と収容穴７０における奥側壁部との間に形成された隙間は、奥側回転ドラム８０の軸方向の全体に亘って遊技球の直径よりも小さくされており、その大きさは、奥側回転ドラム８０の小径側端部側で最大となっている。
【００３４】
更にまた、二つの手前側回転ドラム７６ａ，ｂおよび二つの奥側回転ドラム８０ａ，ｂによって挟まれている部分、即ち、二つの収容穴７０ａ，ｂの共通の壁部を構成する部分（以下、共通壁部８４と称する）の上面には複数の段差が形成されている。そこにおいて、本実施形態では、共通壁部８４おける上面のうち二つの奥側回転ドラムに挟まれている部分（以下、奥側上面８６と称する）は、本体枠４８における他方の開口端の内周面よりも下方に位置せしめられている一方、共通壁部８４における上面のうち二つの手前側回転ドラム７６ａ，ｂに挟まれている部分（以下、中間上面８８と称する）よりも上方に位置せしめられている。そして、奥側上面８６と手前側上面８８は、凹状湾曲傾斜面９０によって接続されている。そこにおいて、本実施形態では、凹状湾曲面９０は、左右方向中央部分で手前側に凸とされていることで、かかる左右方向中央部分が最も手前側に位置せしめられており、それによって、手前側及び奥側回転ドラム７６，８０の各小径側端部に当接している遊技球が、それらの回転ドラム７６，８０の更に軸方向外方に位置せしめられた場合に、凹状湾曲面９０に沿うようにして当接せしめられるようになっている。また、中間上面８８は、共通壁部８４の上面における手前側に位置せしめられている部分、即ち、フロントフロア６６の転動面に近接位置せしめられている部分（以下、手前側上面９１と称する）よりも上方に位置せしめられており、それら中間上面８８と手前側上面９１は、凸状湾曲傾斜面９２によって接続されている。そこにおいて、手前側上面９１は、フロントフロア６６に形成された傾斜面６８に接続されている。
【００３５】
さらに、本実施形態では、各収容穴７０に配設された手前側回転ドラム７６の小径側端部および奥側回転ドラム８０の小径側端部の間に形成された隙間内に位置せしめられるようにして、突起９４が共通壁部８４に突設されており、特に、本実施形態では、かかる突起９４の上面は、手前側上面８８と同じ高さに位置せしめられている。これにより、遊技球が手前側および奥側回転ドラム７６，８０の間に形成された隙間が最も大きくなる位置にある状態、即ち、遊技球が手前側および奥側回転ドラム７６，８０の各小径側端部に当接した状態で、遊技球は突起９４の上面に当接せしめられることとなり、その結果、手前側および奥側回転ドラム７６，８０の各小径側端部の間に形成された隙間からの遊技球の落下の防止が図られていると共に、遊技球が手前側および奥側回転ドラム７６，８０の各小径側端部に接触した状態から手前側上面８８への移動を速やかに行うことが可能となり、手前側および奥側回転ドラム７６，８０の各小径側端部の間に形成された隙間への遊技球の嵌り込みおよびかかる隙間への遊技球の嵌り込みに起因する遊技球の停留の防止が図られている。
【００３６】
更にまた、各収容穴７０内に配設された手前側回転ドラム７６と各収容穴７０における手前側の壁部（フロントフロア６６）の間に形成された隙間が最も大きくなる位置に遊技球がある状態、即ち、各収容穴７０内に配設された手前側回転ドラム７６の小径側端部と各収容穴７０における手前側の壁部（フロントフロア６６）の両方に遊技球が接触している状態において、遊技球は、手前側上面９１よりも上方に位置せしめられるようになっており、それによって、各収容穴７０内に配設された手前側回転ドラム７６の小径側端部と各収容穴７０における手前側の壁部（フロントフロア６６）の間に形成される隙間からの遊技球の落下およびかかる隙間に遊技球が嵌り込むことに起因する遊技球の停留の防止が図られている。
【００３７】
さらに、各収容穴７０内に配設された奥側回転ドラム８０と各収容穴７０における奥側の壁部（本体枠４８における他方の開口端）の間に形成された隙間が最も大きくなる位置に遊技球がある状態、即ち、各収容穴７０内に配設された奥側回転ドラム８０の小径側端部と各収容穴７０における奥側の壁部（本体枠４８における他方の開口端）の両方に遊技球が接触している状態において、遊技球は、奥側上面８６よりも上方にいちせしめられるようになっており、それによって、各収容穴７０内に配設された奥側回転ドラム８０と各収容穴７０における奥側の壁部（本体枠４８における他方の開口端）の間に形成される隙間からの遊技球の落下およびかかる隙間に遊技球が嵌り込むことに起因する遊技球の停留の防止が図られている。
【００３８】
また、本実施形態では、右方（遊技者からみた右方）の収容穴７０ｂにおける右側の壁部９６および左方（遊技者からみた左方）の収容穴７０ａにおける左側の壁部９８は、それぞれ、上方に向かって突出せしめられており、それによって、右方の収容穴７０ｂにおける右側の壁部９６は、右側のワープ出口６４ｂから排出された遊技球をフロントフロア６６のほうに案内するようになっている一方、左方の収容穴７０ａにおける左側の壁部９８は、左側のワープ出口６４ａから排出された遊技球をフロントフロア６６のほうに案内するようになっている。
【００３９】
さらに、本実施形態では、右方の収容穴７０ｂの左側の壁部および左方の収容穴７０ａの右側の壁部を構成している部分、即ち、共通壁部８４の内部には、誘導通路１００が形成されている。そして、入球口としての誘導通路１００の入側開口１０２が、奥側上面８６に開口するように形成されている一方、誘導通路１００の出側開口が、本体枠４８の一方の開口端面に開口するように形成されており、特に、本実施形態では、誘導通路１００の出側開口は、フロントフロア６６に形成された傾斜面６８の幅方向（左右方向）中央の真下に形成されている。
【００４０】
そして、このように形成された誘導通路１００の出側開口の真下に始動入賞装置３８が配設されており、それによって、誘導通路１００を通って再び遊技領域３４上を流下せしめられる遊技球というのは、始動入賞装置３８に入賞しやすくなっているのである。そこにおいて、本実施形態では、誘導通路１００の通路幅は、遊技球の直径よりも少し大きい程度の大きさとされている一方、フロントフロア６６に形成された傾斜面６８の幅方向（左右方向）寸法よりも十分小さくされており、それによって、傾斜面６８を転がって遊技領域３４に放出される遊技球よりも誘導通路１００の出側開口から遊技領域３４に放出される遊技球のほうが始動入賞装置３８に入賞しやすくなっている。
【００４１】
また、本実施形態では、二つの奥側回転ドラム８０ａ，ｂの駆動軸８２ａ，ｂは、それぞれ、誘導通路１００内に突出しないように配設されていると共に、二つの手前側回転ドラム７６ａ，ｂの駆動軸７８は、誘導通路１００の上側の壁部を貫通するようにして配設されている。
【００４２】
更にまた、二つの手前側回転ドラム７０ａ，ｂおよび二つの奥側回転ドラム８０ａ，ｂには、それぞれ、そのテーパ筒状外周面７４に開口する収容凹所１０４が複数（本実施形態では、二つ）形成されており、各収容凹所１０４には、磁石としての永久磁石１０６が収容位置せしめられている。そこにおいて、本実施形態では、各回転ドラム７２のテーパ筒状外周面７４に形成された二つの収容凹所１０４，１０４は、何れも、回転ドラム７２の周方向に連続して延びるものではなく、また、回転ドラム７２の軸方向に連続して延びるものでもなく、略一定の円形断面で回転ドラム７２のテーパ筒状外周面７４に開口するものである。従って、本実施形態では、各回転ドラム７２に形成された各収容凹所１０４に収容位置せしめられている永久磁石１０６は、各回転ドラム７２のテーパ筒状外周面７４上に点在しているのである。また、永久磁石１０６が収容位置せしめられた状態で収容凹所１０４を覆うようにして被覆シートとしてのステッカ１０８が回転ドラム７２のテーパ筒状外周面７４の全体に亘って貼付されており、それによって、永久磁石１０６が外部から視認不能とされていると共に、回転ドラム７２の外周面が全体に亘って滑らかになっている。なお、ステッカ１０８における永久磁石１０６を覆っている部分には、永久磁石１０６の位置を外部から確認できるように、適当な模様が付されていても良い。
【００４３】
そこにおいて、本実施形態では、手前側回転ドラム７６の二つの収容凹所１０４，１０４は、大径側の端部付近と軸方向中央付近に一つずつ形成されており、大径側の端部付近に形成された収容凹所１０４と軸方向中央付近に形成された収容凹所１０４は、手前側回転ドラム７６の軸直角方向での投影において遊技球の直径程度の距離だけ離れていると共に、手前側回転ドラム７６の軸方向での投影において周方向位置が９０度ずれている。
【００４４】
また、本実施形態では、奥側回転ドラム８０の二つの収容凹所１０４，１０４は、小径側の端部付近と軸方向中央付近に一つずつ形成されており、小径側の端部付近に形成された収容凹所１０４と軸方向中央付近に形成された収容凹所１０４は、奥側回転ドラム８０の軸直角方向での投影において遊技球の直径程度の距離だけ離れている一方、周方向位置は同じとされている。
【００４５】
そして、上述の如く各収容穴７０内に手前側回転ドラム７６と奥側回転ドラム８０が一軸回りに回転可能に配設された状態下において、手前側回転ドラム７６に形成された収容凹所１０４，１０４に収容位置せしめられている永久磁石１０６，１０６と、奥側回転ドラム８０に形成された収容凹所１０４，１０４に収容位置せしめられている永久磁石１０６，１０６は、センター飾り４４の奥行き方向での投影において交互に等間隔で並ぶようになっている。
【００４６】
また、二つの手前側回転ドラム７６ａ，ｂの駆動軸７８において各手前側回転ドラム７６の大径側端部よりも軸方向外方に位置せしめられる部分には、手前側駆動歯車１１０が駆動軸７８と一体的に回転可能に組み付けられていると共に、各奥側回転ドラム８０の駆動軸８２において各奥側回転ドラム８０の大径側端部よりも軸方向外方に位置せしめられる部分には、奥側駆動歯車１１２が駆動軸８２と一体的に回転可能に組み付けられている。このようにして各手前側回転ドラム７６と一体的に回転可能に組み付けられた手前側駆動歯車１１０と各奥側回転ドラム８０と一体的に回転可能に組み付けられた奥側駆動歯車１１２の両方に対して中継歯車１１４が噛合されており、それによって、二つの手前側回転ドラム７６ａ，ｂと二つの奥側回転ドラム８０ａ，ｂが互いに同じ方向に回転可能とされている。また、右方の中継歯車１１４ｂには、駆動手段としての駆動モータ１１６の出力軸に固設された出力ピニオン１２０が噛合されている。なお、本実施形態では、駆動モータ１１６は、ステッピングモータによって構成されている。
【００４７】
そして、駆動モータ１１６に電源が供給されて、駆動モータ１１６の出力軸が回転せしめられると、出力軸に固設された出力ピニオン１２０が出力軸と一体的に回転せしめられる。このように出力ピニオン１２０が回転せしめられると、出力ピニオン１２０に噛合された右方の中継歯車１１４ｂも回転せしめられることとなり、それによって、右方の中継歯車１１４ｂに噛合されている右方の手前側駆動歯車１１０ｂおよび右方の奥側駆動歯車１１２ｂが互いに同じ方向に回転せしめられることとなる。従って、本実施形態では、右方の手前側駆動歯車１１０ｂと一体的に回転せしめられる右方の手前側回転ドラム７６ｂと、右方の奥側駆動歯車１１２ｂと一体的に回転せしめられる右方の奥側回転ドラム８０ｂが同じ方向に回転せしめられるようになっている。
【００４８】
また、このように右方の手前側駆動歯車１１０ｂが回転せしめられることで、左方の手前側駆動歯車１１０ａも右方の手前側駆動歯車１１０ｂと同じ方向に回転せしめられる。そして、左方の手前側駆動歯車１１０ａが回転せしめられることで、左方の中継歯車１１４ａが回転せしめられることとなり、それによって、左方の中継歯車１１４ａに噛合されている左方の奥側駆動歯車１１２ａが左方の手前側駆動歯車１１０ａと同じ方向に回転せしめられることとなる。従って、本実施形態では、左方の手前側駆動歯車１１０ａと一体的に回転せしめられる左方の手前側回転ドラム７６ａと、左方の奥側駆動歯車１１２ａと一体的に回転せしめられる左方の奥側回転ドラム８０ａが同じ方向に回転せしめられるようになっている。
【００４９】
上述の説明から明らかなように、本実施形態では、二つの手前側回転ドラム７６ａ，ｂと二つの奥側回転ドラム８０ａ，ｂの回転方向が全て同じ方向とされているのである。特に、本実施形態では、二つの手前側回転ドラム７６ａ，ｂと二つの奥側回転ドラム８０ａ，ｂは、それぞれ、上半周面が手前側から奥側に向かって回転せしめられるようになっている。なお、本実施形態では、これら二つの手前側回転ドラム７６ａ，ｂと二つの奥側回転ドラム８０ａ，ｂは、パチンコ機１０に電源が供給されると、回転を開始するようになっている。
【００５０】
そこにおいて、本実施形態では、右方の手前側駆動歯車１０ｂと右方の奥側駆動歯車１１２ｂのギア比が異ならされており、それによって、右方の手前側回転ドラム７６ｂの角速度と右方の奥側回転ドラム８０ｂの角速度が異なるようになっている。特に、本実施形態では、右方の手前側駆動歯車１１０ｂと右方の奥側駆動歯車１１２ｂのギア比が３：５とされており、それによって、右方の手前側回転ドラム７６ｂの角速度のほうが右方の奥側回転ドラム８０ｂの角速度よりも速くなっている。また、本実施形態では、左方の手前側駆動歯車１１０ａと左方の奥側駆動歯車１１２ｂのギア比も異ならされており、それによって、左方の手前側回転ドラム７６ａの角速度と左方の奥側回転ドラム８０ａの角速度が異なるようになっている。特に、本実施形態では、左方の手前側駆動歯車１１０ａと左方の奥側駆動歯車１１２ａのギア比が３：５とされており、それによって、左方の手前側回転ドラム７６ａの角速度のほうが左方の奥側回転ドラム８０ａの角速度よりも速くなっている。このことから明らかなように、本実施形態では、二つの手前側回転ドラム７６ａ，ｂの角速度は互いに同じとされていると共に、二つの奥側回転ドラム８０ａ，ｂの角速度も互いに同じとされている。
【００５１】
このように右方の手前側および奥側回転ドラム７６ｂ，８０ｂを回転せしめるための右方の手前側および奥側駆動歯車１１０ｂ，１１２ｂ、そして、これら右方の手前側および奥側駆動歯車１１０ｂ，１１２ｂの両方に噛合された右方の中継歯車１１４ｂは、右方の収容穴７０ｂの右側の壁部９６内に形成された収容空間（図示せず）内に収容位置せしめられていると共に、駆動モータ１１６は、右方の収容穴７０の底壁の裏側において、取付部材１２２によって固定的に組み付けられている。また、左方の手前及び奥側の回転ドラム７６ａ，８０ａを回転せしめるための左方の手前及び奥側駆動歯車１１０ａ，１１２ａ、そして、これら左方の手前および奥側駆動歯車１１０ａ，１１２ａの両方に噛合された左方の中継歯車１１４ａは、左方の収容穴７０ａにおける左側の壁部９８内に形成された収容空間（図示せず）内に収容位置せしめられている。
【００５２】
このような構造とされたパチンコ機１０においては、遊技者が発射レバー２８を回動操作することで遊技領域３４に向けて発射された遊技球が、遊技領域３４を上方から下方に向かって多数の遊技釘１２４に当たりながら流下せしめられるようになっている。そして、ワープ入口６２ａ，ｂからワープ通路６０ａ，ｂに入り、かかるワープ通路６０ａ，ｂを通ってワープ出口６４ａ，ｂから排出された遊技球は、先ず、フロントフロア６６に案内される。このようにフロントフロア６６に案内されて、フロントフロア６６を転動せしめられる遊技球１２６は、フロントフロア６６を転動せしめられている際に、手前側回転ドラム７６に設けられた永久磁石１０６が近くを通過すると、図７又は８に示されているように、永久磁石１０６に吸着されて手前側回転ドラム７６と一体的に回転可能となり、手前側回転ドラム７６の回転によってフロントフロア６６から持ち上げられるようにして、奥側に誘導されるようになっている。
【００５３】
そこにおいて、図７は、左方の手前側回転ドラム７６ａにおける大径側端部付近に設けられた永久磁石１０６によって遊技球１２６が吸着されて持ち上げられた状態を示す図面であり、また、図８は、左方の手前側回転ドラム７６ａにおける軸方向中央付近に設けられた永久磁石１０６によって遊技球１２６が吸着されて持ち上げられた状態を示す図面である。なお、右方の手前側回転ドラム７６ｂに設けられた永久磁石１０６によって遊技球が吸着されて持ち上げられた状態は、左方の手前側回転ドラム７６ａの場合と同じであることから、右方の手前側回転ドラム７６ｂに設けられた永久磁石１０６によって遊技球が吸着されて持ち上げられた状態の図示および説明は省略する。
【００５４】
一方、遊技球がフロントフロア６６を転動せしめられている際に、手前側回転ドラム７６に設けられた永久磁石１０６が近くを通過しなかった場合には、遊技球は、フロントフロア６６に形成された傾斜面６８に沿って転がり、遊技領域３４に放出されるようになっている。
【００５５】
また、手前側回転ドラム７６と一体的に回転せしめられている遊技球１２６は、手前側回転ドラム７６の上半周面を手前側から奥側への回転によって奥側に誘導されると、奥側回転ドラム８０に当接せしめられる。このように手前側回転ドラム７６によって奥側に誘導されてきた遊技球１２６が奥側回転ドラム８０に当接せしめられた状態で、更に手前側回転ドラム７６が回転せしめられると、遊技球１２６が永久磁石１０６の吸着から解放されて、遊技球１２６が手前側回転ドラム７６の外周面および奥側回転ドラム８０の外周面に接触した状態で、手前側回転ドラム７６の小径側端部のほうに転動せしめられるようになっている。
【００５６】
そして、手前側回転ドラム７６の外周面および奥側回転ドラム８０の外周面に接触した状態で、遊技球が手前側回転ドラム７６の小径側端部のほうに転動せしめられている際に、奥側回転ドラム８０に設けられた永久磁石１０６が近くを通過すると、図９又は図１０に示されているように、遊技球１２６が、奥側回転ドラム８０に設けられた永久磁石１０６に吸着されて奥側回転ドラム８０と一体的に回転可能となり、奥側回転ドラム８０によって持ち上げられるようにして、奥側回転ドラム８０の上半周面を手前側から奥側に誘導されるようになっている。
【００５７】
そこにおいて、図９は、左方の奥側回転ドラム８０ａにおける軸方向中央付近に設けられた永久磁石１０６によって遊技球１２６が吸着されて持ち上げられた状態を示す図面であり、また、図１０は、左方の奥側回転ドラム８０ａにおける小径側端部付近に設けられた永久磁石１０６によって遊技球１２６が吸着されて持ち上げられた状態を示す図面である。なお、右方の奥側回転ドラム８０ｂに設けられた永久磁石１０６によって遊技球が吸着されて持ち上げられた状態は、左方の奥側回転ドラム８０ａの場合と同じであることから、右方の奥側回転ドラム８０ｂに設けられた永久磁石１０６によって遊技球が吸着されて持ち上げられた状態の図示および説明は省略する。
【００５８】
特に、本実施形態では、手前側回転ドラム７６における大径側端部の付近に設けられた永久磁石１０６に吸着されて誘導されてきた遊技球というのは、奥側回転ドラム８０における軸方向中央付近に設けられた永久磁石１０６と小径側端部付近に設けられた永久磁石１０６の何れかに吸着される可能性があるのに対して、手前側回転ドラム７６における軸方向中央付近に設けられた永久磁石１０６に吸着されて誘導されてきた遊技球というのは、奥側回転ドラム８０における小径側端部の付近に設けられた永久磁石１０６にしか吸着される可能性がないようになっている。
【００５９】
また、遊技球１２６が手前側回転ドラム７６の外周面および奥側回転ドラム８０の外周面に接触した状態で手前及び奥側の回転ドラム７６，８０の小径側端部のほうに転動せしめられている際に、奥側の回転ドラム８０に設けられた二つの永久磁石１０６，１０６が何れも遊技球１２６の近くを通過しなかった場合には、遊技球は、凹状湾曲傾斜面９０に沿うようにして中間上面８８上に排出された後、中間上面８８，凸状湾曲傾斜面９２、そして、手前側上面９１を通ってフロントフロア６６のほうに流れていくようになっている。即ち、本実施形態では、凹状湾曲傾斜面９０が左右方向の中央部分において手前側に凸とされており、かかる左右方向中央部分が最も手前側に位置せしめられていることから、凹状湾曲傾斜面９０に沿って中間上面８８上に排出された遊技球は、他方の手前側回転ドラム７６と奥側回転ドラム８０の間に向かって転動することが阻止されるようになっているのである。そして、フロントフロア６６のほうに流れる遊技球に勢いがあると、遊技球は、フロントフロア６６を右方の手前側回転ドラム７６ｂのほうまで転がっていき、その途中で、或いは、フロントフロア６６の転動面に沿って戻ってくる途中で、右方の手前側回転ドラム７６ｂに設けられた永久磁石１０６，１０６に吸着される可能性があるが、遊技球に勢いがないと、遊技球は、フロントフロア６６の傾斜面６８に沿って転がり、遊技領域３４に放出されるようになっている。
【００６０】
そして、奥側回転ドラム８０によって誘導されてきた遊技球１２６は、奥側回転ドラム８０の回転によって奥側回転ドラム８０よりも更に奥側に位置せしめられた収容穴７０の奥側壁部に当接せしめられるようになっており、このように遊技球１２６が収容穴７０の奥側壁部に当接せしめられた状態で、更に奥側回転ドラム８０が回転せしめられることにより、遊技球１２６が、永久磁石１０６の吸着から解放されることとなる。これにより、遊技球１２６は、奥側回転ドラム８０および収容穴７０の奥側壁部に接触した状態で、奥側回転ドラム８０の小径側端部のほうに転動せしめられることとなる。このようにして奥側回転ドラム８０の小径側端部のほうに転動せしめられる遊技球は、奥側上面８６に形成された入側開口１０２から誘導通路１００に入り、かかる誘導通路１００を通って、誘導通路１００の出側開口から遊技領域３４に放出されるようになっている。
【００６１】
上述の説明から明らかなように、本実施形態では、手前側回転ドラム７６によって最手前ローラが構成されていると共に、奥側回転ドラム８０によって最奥ローラが構成されている。また、本実施形態では、フロントフロア６６，二つの手前側回転ドラム７６ａ，ｂおよび二つの奥側回転ドラム８０ａ，ｂを含んでステージが構成されている。更に、本実施形態では、駆動モータ１１６の出力軸に固定された出力ピニオン１２０、出力ピニオン１２０に噛合された右方の中継歯車１１４ｂ，右方の中継歯車１１４ｂに噛合された右方の手前側および奥側駆動歯車１１０ｂ，１１２ｂ、二つの手前側回転ドラム７６ａ，ｂの駆動軸７８，右方の奥側回転ドラム８０ｂの駆動軸８２ｂ、左方の奥側回転ドラム８０ａの駆動軸８２ａ、左方の中継歯車１１４ａ、左方の中継歯車１１４ａに噛合された左方の手前側および奥側駆動歯車１１０ａ，１１２ｂを含んで駆動モータ１１６（駆動手段）の駆動力を伝達する駆動力伝達機構が構成されている。
【００６２】
また、本実施形態では、手前側回転ドラム７６がテーパ筒状外周面７４を備えていること、奥側回転ドラム８０に設けられた永久磁石１０６，１０６が奥側回転ドラム８０の外周面上に点在せしめられていることおよび手前側回転ドラム７６の角速度と奥側回転ドラム８０の角速度が異なっていることの何れかによってローラ間選別手段が構成されていると共に、凹状湾曲傾斜面９０，中間上面８８，凸状湾曲傾斜面９２および手前側上面９１を含んで処理路が構成されている。
【００６３】
さらに、本実施形態では、手前側回転ドラム７６に設けられた永久磁石１０６が手前側回転ドラム７６の外周面上に点在せしめられていることによってフロント選別手段が構成されていると共に、傾斜面６８を含んで排出路が構成されている。
【００６４】
このような構造とされたパチンコ機１０においては、フロントフロア６６を転動せしめられる遊技球が手前側回転ドラム７６に設けられた永久磁石１０６に吸着されてフロントフロア６６から持ち上げられるようにして奥側回転ドラム８０のほうに誘導された後、奥側回転ドラム８０に設けられた永久磁石１０６に吸着されて更に奥側に誘導されるようになっていることから、遊技球が手前側回転ドラム７６と奥側回転ドラム８０を乗り継いでセンター飾り４４の奥方のフロントフロア６６よりも高い位置まで誘導される過程を変化に富んだものにすることが可能となり、それによって、手前側回転ドラム７６と奥側回転ドラム８０を乗り継いでセンター飾り４４の奥方のフロントフロア６６よりも高い位置まで誘導される際の遊技球の動きに対して遊技者の興味を惹きつけることが可能となり、その結果、かかる遊技球の動きを利用して遊技者を楽しませることが可能となる。
【００６５】
また、奥側回転ドラム８０によって奥側に誘導された遊技球は、永久磁石１０６による吸着が解除された後、奥側回転ドラム８０の小径側端部のほうに転がり、入側開口１０２から誘導通路１００内に入るようになっていることから、手前側回転ドラム７６と奥側回転ドラム８０を乗り継いでセンター飾り４４の奥方のフロントフロア６６よりも高い位置まで誘導される遊技球の動きに対して遊技者の興味を一層惹きつけることが可能となり、それによって、遊技者を一層楽しませることが可能となる。
【００６６】
特に、本実施形態では、手前側回転ドラム７６がテーパ筒状外周面７４を備えていることから、手前側回転ドラム７６に設けられた永久磁石１０６による遊技球の吸着が解除されると、遊技球の手前側回転ドラム７６の小径側端部側への転動が積極的に生ぜしめられることとなり、それによって、遊技球の動きをより変化に富んだものにすることが可能となる。
【００６７】
そこにおいて、本実施形態では、手前側回転ドラム７６に設けられた永久磁石１０６，１０６の位置と奥側回転ドラム８０に設けられた永久磁石１０６，１０６の位置が水平方向で異なるようになっていることから、手前側回転ドラム７６に設けられた永久磁石１０６による遊技球の吸着が解除されて、遊技球の手前側回転ドラム７６の小径側端部側への転動が生ぜしめられたとしても、奥側回転ドラム８０に設けられた永久磁石１０６による遊技球の吸着を有利に実現することが可能となる。
【００６８】
また、本実施形態では、奥側回転ドラム８０に設けられた永久磁石１０６，１０６は、奥側回転ドラム８０の外周面上に点在せしめられていることから、手前側回転ドラム７６に設けられた永久磁石１０６，１０６による吸着が解除された遊技球が手前側回転ドラム７６の小径側端部のほうへ転動せしめられている際に、そのすぐ近くを奥側回転ドラム８０に設けられた永久磁石１０６，１０６が通過して、奥側回転ドラム８０に設けられた永久磁石１０６，１０６によって遊技球が吸着される確率を小さくすることが可能となり、それによって、奥側回転ドラム８０に設けられた永久磁石１０６，１０６によって遊技球が吸着されるか否かということに対して遊技者の興味を惹きつけることが可能となり、その結果、遊技者を楽しませることが可能となる。
【００６９】
特に、本実施形態では、手前側回転ドラム７６の角速度と奥側回転ドラム８０の角速度が異なっていることから、手前側回転ドラム７６に設けられた永久磁石１０６，１０６による吸着が解除された遊技球が手前側回転ドラム７６の小径側端部のほうへ転動せしめられている際に、奥側回転ドラム８０に設けられた永久磁石１０６，１０６が遊技球のすぐ近くを通過する確率を、手前側回転ドラム７６に設けられた永久磁石１０６，１０６による吸着が解除された遊技球毎に異ならせることが可能となり、手前側回転ドラム７６の小径側端部のほうへ転動せしめられている遊技球が奥側回転ドラム８０に設けられた永久磁石１０６，１０６によって吸着される確率を一層小さくすることが可能となり、それによって、奥側回転ドラム８０に設けられた永久磁石１０６，１０６によって遊技球が吸着されるか否かということに対して遊技者の興味を一層惹きつけることが可能となり、その結果、遊技者を一層楽しませることが可能となる。
【００７０】
また、本実施形態では、手前側回転ドラム７６に設けられた永久磁石１０６，１０６による吸着が解除された遊技球が手前側回転ドラム７６の小径側端部のほうへ転動せしめられている際に、奥側回転ドラム８０に設けられた永久磁石１０６，１０６によって吸着されなかった場合、かかる遊技球は、凹状湾曲傾斜面に沿って中間上面８８上に排出された後、中間上面８８，凸状湾曲傾斜面９２、そして、手前側上面９１を通ってフロントフロア６６に至るようになっていることから、手前側回転ドラム７６に設けられた永久磁石１０６，１０６による吸着が解除されて小径側端部のほうへ転動せしめられている遊技球が手前側回転ドラム７６と奥側回転ドラム８０の間に停留してしまうことを防止することが可能となる。
【００７１】
特に、本実施形態では、凹状湾曲傾斜面が左右方向の中央部分において手前側に凸とされており、かかる左右方向中央部分が最も手前側に位置せしめられていることから、凹状湾曲傾斜面に沿って中間上面８８上に排出された遊技球は、他方の手前側回転ドラム７６と奥側回転ドラム８０の間に向かって転動することが阻止されるようになっており、それによって、他方の手前側回転ドラム７６と奥側回転ドラム８０の間を遊技球が転動するためには、先ず、手前側回転ドラム７６によってフロントフロア６６から持ち上げられるように誘導されることが必要となる。その結果、本実施形態では、左右何れか一方の手前側回転ドラム７６と奥側回転ドラム８０を乗り継ぐようにしてセンター飾りの奥側に誘導される遊技球の動きを実現することが可能となる。
【００７２】
さらに、本実施形態では、奥側回転ドラム８０がテーパ筒状外周面７４を備えていることから、奥側回転ドラム８０に設けられた永久磁石１０６，１０６による遊技球の吸着が解除されると、遊技球の奥側回転ドラム８０の小径側端部のほうへの転動が積極的に生ぜしめられることとなり、それによって、遊技球の動きをより一層変化に富んだものにすることが可能となるのであり、また、本実施形態のように、奥側回転ドラム８０における小径側端部のほうに入側開口１０２が形成されている場合であっても、かかる入側開口１０２に遊技球が入球しやすいようにすることが可能となる。
【００７３】
また、本実施形態では、手前側回転ドラム７６に設けられた永久磁石１０６，１０６は、手前側回転ドラム７６の外周面上に点在せしめられていることから、遊技球が、フロントフロア６６を転動せしめられている際に、そのすぐ近くを手前側回転ドラム７６に設けられた永久磁石１０６，１０６が通過して、手前側回転ドラム７６に設けられた永久磁石１０６，１０６によって吸着される確率を小さくすることが可能となり、それによって、手前側回転ドラム７６に設けられた永久磁石１０６によって遊技球が吸着されるか否かということに対して遊技者の興味を惹きつけることが可能となり、その結果、遊技者を楽しませることが可能となる。
【００７４】
さらに、本実施形態では、フロントフロア６６に傾斜面６８が形成されていることから、フロントフロア６６を転動せしめられている遊技球が手前側回転ドラム７６に設けられた永久磁石１０６によって吸着されなかった場合に、かかる遊技球がフロントフロア６６に停留してしまうことを防止することが可能となる。
【００７５】
特に、本実施形態では、傾斜面６８がフロントフロア６６における共通壁部８４の前方に位置せしめられていることから、手前側回転ドラム７６に設けられた永久磁石１０６，１０６によって吸着されなかった遊技球を速やかに遊技領域３４に放出することが可能となる。
【００７６】
また、本実施形態では、二つの手前側回転ドラム７６ａ，ｂが一本の駆動軸７８で回転せしめられるようになっていることから、一つの駆動モータによって四つの回転ドラム７２を回転させることが可能となり、それによって、四つの回転ドラム７２の駆動機構も簡単にすることが可能となる。
【００７７】
さらに、本実施形態では、右側の壁部９６が右側のワープ出口６４ｂから排出された遊技球をフロントフロア６６に誘導するようになっていると共に、左側の壁部９６が左側のワープ出口６４ａから排出された遊技球をフロントフロア６６に誘導するようになっていることから、ワープ通路６０ａ，ｂを通ってきた遊技球は、先ず、フロントフロア６６を転動せしめられるようになっており、それによって、フロントフロア６６から手前側回転ドラム７６および奥側回転ドラム８０によってセンター飾り４４の奥側に誘導される遊技球の動きを実現することが可能となる。
【００７８】
また、本実施形態では、回転ドラム７２のテーパ角度：αが５〜１５度の範囲に設定されていることから、手前側回転ドラム７６と奥側回転ドラム８０の両方に接触しながら、それらの回転ドラム７６，８０の小径側端部のほうに転がる遊技球の速さを遅くすることが可能となり、それによって、奥側回転ドラム８０に設けられた永久磁石１０６，１０６に遊技球が吸着されやすいようにすることが可能となる。
【００７９】
さらに、本実施形態では、二つの奥側回転ドラム８０ａ，ｂに挟まれる位置に入側開口１０２が形成されていることから、二つの奥側回転ドラム８０ａ，ｂの奥側に入側開口が形成されている場合に比して、センター飾り４４の奥行き寸法を小さくおさえることが可能となり、それによって、センター飾り４４の裏側に配設される液晶表示器３６の表示画面が必要以上に奥側に位置せしめられることが回避されて、遊技者が液晶表示器３６の表示画面をみやすいようにすることが可能となる。
【００８０】
また、本実施形態では、二つの奥側回転ドラム８０ａ，ｂが何れも手前側回転ドラム７６と同じ大きさとされていることから、センター飾り４４の奥行き寸法を小さく抑えることが可能となる。
【００８１】
更にまた、本実施形態では、手前側回転ドラム７６および奥側回転ドラム８０がそれぞれ二つずつ配設されていることから、遊技球の動きを手前側回転ドラム７６から奥側回転ドラム８０への乗り継ぎのみならず、二つの手前側回転ドラム７６ａ，ｂの一方から他方への乗り換えまで広げることが可能となり、それによって、遊技球をセンター飾り４４の奥方への誘導する際の動きを一層変化に富んだものにすることが可能となり、その結果、かかる遊技球の動きを利用して遊技者に楽しみを与えることが可能となる。
【００８２】
特に、本実施形態においては、遊技球が手前側回転ドラム７６の外周面および奥側回転ドラム８０の外周面に接触した状態で手前及び奥側の回転ドラム７６，８０の小径側端部のほうに転動せしめられている際に、奥側の回転ドラム８０に設けられた二つの永久磁石１０６，１０６が何れも遊技球の近くを通過しなかった場合には、凹状湾曲傾斜面に沿って中間上面８８上に排出された後、中間上面８８，凸状湾曲傾斜面９２、そして、手前側上面９１を通ってフロントフロア６６に至るようになっているが、その際、遊技球の転動に勢いがあると、遊技球は、フロントフロア６６を右方の手前側回転ドラム７６ｂのほうまで転がっていき、その途中で、或いは、フロントフロア６６の転動面に沿って戻ってくる途中で、右方の手前側回転ドラム７６ｂに設けられた永久磁石１０６，１０６に吸着される可能性があるようになっていることから、遊技球の動きに対して遊技者の興味をより一層惹きつけることが可能となり、それによって、遊技者をより一層楽しませることが可能となる。
【００８３】
以上、本発明の一実施形態について詳述してきたが、これはあくまでも例示であって、本発明は、かかる実施形態における具体的な記載によって、何等、限定的に解釈されるものではない。
【００８４】
例えば、前記実施形態では、各回転ドラム７２は、テーパ筒状外周面７４を備えていたが、各回転ドラム７２は必ずテーパ筒状外周面７４を備えている必要はなく、図１１に示されているように、軸方向で外径寸法が変化しない円筒状外周面１２８を備えていても良い。その場合、二つの手前側の回転ドラム７２，７２の駆動軸１３０，１３０はそれぞれ別個のものによって構成されることとなる。また、各手前側の回転ドラム７２の駆動軸１３０は、他の手前側の回転ドラム７２のほうに位置せしめられている軸方向端部のほうが他の軸方向端部よりも下方（収容穴７０の底側）に位置せしめられるようになっている。即ち、二つの手前側の回転ドラム７２，７２の駆動軸１３０，１３０は、一つの直線上に位置せしめられておらず、また、二つの奥側の回転ドラム７２，７２の駆動軸８０，８０も一つの直線上に位置せしめられていないのである。
【００８５】
そして、このような構造および配設形態とされた４つの回転ドラム７２は、右方の手前側および奥側の回転ドラム７２，７２が一つの駆動モータ（図示せず）によって回転駆動せしめられるようになっている一方、左方の手前側および奥側の回転ドラム７２，７２が右方の手前側および奥側の回転ドラム７２，７２を回転駆動するための駆動モータとは異なる他の駆動モータ（図示せず）によって駆動せしめられるようになっている。なお、理解を容易にするために、図１１において、第一の実施形態と同様な構造とされた部材および部位については、第一の実施形態と同一の符号を付してある。また、図１１においては、各手前側の回転ドラム７２の駆動軸１３０に固設された手前側駆動歯車，各奥側の回転ドラム７２の駆動軸８２に固設された奥側駆動歯車，それら手前側駆動歯車および奥側駆動歯車に噛合される中継歯車の図示も省略している。
【００８６】
また、前記実施形態では、第一種パチンコ機に本発明を適用したものの一具体例が示されていたが、第三種パチンコ機に本発明を適用した場合も、前記実施形態と同様な構造を採用することが可能となる。
【００８７】
さらに、本発明を第二種パチンコ機に適用する場合には、図１２に示されているような構成を採用しても良い。図１２には、第二種パチンコ機における特別可変入賞装置１３２（大入賞装置）が示されている。この特別可変入賞装置１３２は、遊技領域（図示せず）に設けられた特定の入賞装置（図示せず）に遊技球が入賞した場合に、導入路（図示せず）の入口を塞いでいる羽根１３６，１３６がそれぞれ所定回数（一回又は二回）だけ、図１２中において矢印で示した方向に、開閉作動せしめられるものであり、かかる羽根１３６，１３６が開いた際に導入路を通ってフロントフロア６６に案内されてきた遊技球が手前側回転ドラム７６と奥側回転ドラム８０を乗り継ぐようにして特別可変入賞装置１３２の奥方に誘導されるようになっている。
【００８８】
そして、二つの奥側回転ドラム８０，８０に挟まれる位置に形成された特定入賞口１３８に対して奥側回転ドラム８０によって誘導されてきた遊技球が入球することで所謂大当たり遊技状態が発生するようになっている。なお、奥側回転ドラム８０によって誘導されなかった遊技球はハズレ入賞口１４０に入球するようになっている。また、開いた羽根１３６，１３６が閉じた後、所定時間経過すると、フロントフロア６６の上面に形成されている落下孔１３７を塞いでいるスライド板１３９がフロントフロア６６の長手方向にスライドせしめられるようになっており、それによって、フロントフロア６６上に位置せしめられる遊技球が落下孔１３７から落下するようになっている。更に、特別可変入賞装置１３２の奥側に配設される液晶表示器の表示画面には、遊技球が特定の入賞装置に入賞した際の羽根１３６，１３６の開閉作動に起因してフロントフロア６６に案内されてきた遊技球が特定入賞口１３８に入球した場合に発生する大当たり遊技状態の種類を予告報知する表示等がなされるようになっている。なお、図面上では明示されていないが、特別可変入賞装置１３２は、遊技領域に取り付けられた状態下において、その本体枠４８の一方の開口端を全体に亘って覆うようにして透明な蓋が重ね合わせられるようになっており、その結果、羽根１３６，１３６が開いた際に導入路を通ってフロントフロア６６に案内されてきた遊技球がフロントフロア６６から遊技領域に放出されないようになっていると共に、遊技領域に打ち込まれた遊技釘に当たった遊技球がフロントフロア６６に飛び移ることを防止するようになっている。
【００８９】
また、前記実施形態では、奥側回転ドラム８０の外周面に凹凸が設けられていなかったが、図１３に示されているように、奥側回転ドラム８０の外周面の適当な位置に突起１４２を設けておき、手前側回転ドラム７６に設けられた永久磁石１０６による吸着が解除されて小径側端部のほうに転がっている遊技球が、奥側回転ドラム８０に設けられた突起１４２で弾かれるようにし、遊技球が手前側回転ドラム７６の小径側端部にまで至らないようにしても良い。この場合、かかる突起１４２が遊技球を弾くことによって、ローラ間選別手段が構成されることとなる。なお、このように奥側回転ドラム８０に突起１４２を設ける場合には、かかる突起１４２が設けられた軸方向位置に対応する箇所において、手前側回転ドラム７６および収容穴７０の奥側壁部に切欠を形成しておくことが望ましい。
【００９０】
また、図１４に示されているように、奥側回転ドラム８０の外周面に凹溝１４４を形成しておき、手前側回転ドラム７６に設けられた永久磁石１０６による吸着が解除されて小径側端部のほうに転がっている遊技球が、かかる凹溝１４４を通って収容穴７０の底に落下するようにしても良い。この場合、奥側回転ドラム８０の外周面に形成された凹溝１４４を通って遊技球が収容穴７０の底に落下するようにすることでローラ間選別手段が構成されることとなる。なお、このような凹溝は、手前側回転ドラム７６に形成されていても良く、それによって、かかる凹溝を通ってフロントフロア６６を転動せしめられる遊技球が収容穴７０の底に落下するようにしても良い。この場合、手前側回転ドラム７６に形成された凹溝を通って遊技球が収容穴７０の底に落下するようにすることで、フロント選別手段が構成されることとなる。
【００９１】
また、前記実施形態では、回転ドラム７２に設けられた永久磁石１０６に吸着されることで遊技球が誘導されるようになっていたが、このように永久磁石１０６による吸着に基づく遊技球の誘導に加えて、回転ドラム７２の外周面に遊技球を収容できる程度の凹所を形成し、かかる凹所に遊技球を収容した状態で回転ドラムが回転せしめられることにより、遊技球を誘導するようにしても良い。
【００９２】
更にまた、別途強力な磁石を走査させて手前側回転ドラム７６によって奥側に誘導されている遊技球を吸着し、それによって、遊技球が奥側回転ドラム８０によって誘導されるのを邪魔するようにしても良い。この場合、このように別途協力な磁石を走査させて手前側回転ドラム７６によって奥側に誘導されている遊技球を吸着することで、ローラ間選別手段が構成されることとなる。なお、このように別途強力な磁石を走査させることにより吸着される遊技球というのは、手前側回転ドラム７６によって奥側に誘導されるものに限定されず、例えば、フロントフロア６６を転動せしめられている遊技球であっても良い。この場合、このように別途強力な磁石を走査させてフロントフロア６６を転動せしめられる遊技球を吸着することによって、フロント選別手段が構成されることとなる。
【００９３】
また、図１５に示されているように、手前側回転ドラム７６と奥側回転ドラム８０の間から適当なタイミングで障害突起１４６を突出せしめることで、手前側回転ドラム７６に設けられた永久磁石１０６による吸着が解除されて小径側端部のほうに転がっている遊技球が奥側回転ドラム８０に設けられた永久磁石１０６に吸着されることを積極的に阻止するようにしても良い。この場合、このように手前側回転ドラム７６と奥側回転ドラム８０の間から適当なタイミングで障害突起１４６を突出せしめることによって、ローラ間選別手段が構成されることとなる。
【００９４】
さらに、図１６に示されているように、手前側回転ドラム７６と奥側回転ドラム８０の間をそれらの軸方向に往復移動する障害突起１４８を配設し、かかる障害突起１４８が移動して手前側回転ドラム７６に設けられた永久磁石１０６に吸着されている遊技球を強制的に手前側回転ドラム７６に設けられた永久磁石１０６から引き剥がすようにしても良い。この場合、このように手前側回転ドラム７６と奥側回転ドラム８０の間に配設された障害突起１４８を、各回転ドラムの軸方向に沿って往復移動させることによって、ローラ間選別手段が構成されることとなる。
【００９５】
また、前記実施形態では、二つの回転ドラム７２がフロントフロア６６から奥側に向かって並ぶように配設されていたが、三つ以上の回転ドラムがフロントフロア６６から奥側に並ぶように配設されていても良い。その際、フロントフロア６６に最も近い回転ドラムと最も奥側に配設された回転ドラムの間に配設される回転ドラムは、フロントフロア６６の最も近くに配設された回転ドラムよりも下方に位置せしめられていても良い。
【００９６】
さらに、前記実施形態では、フロントフロア６６から奥側に並んで配設された二つの回転ドラムは、小径側端部が互いに同じ側に位置せしめられていたが、小径側端部が異なる側に位置せしめられるようにしても良い。
【００９７】
更にまた、前記実施形態では、互いに同じ大きさおよび形状とされた回転ドラムが複数採用されていたが、互いに異なる大きさおよび形状の回転ドラムを採用するようにしても良い。
【００９８】
また、前記実施形態では、左右の手前側回転ドラム７６ａ，ｂの奥側にそれぞれ配設されている奥側回転ドラム８０の数が同じであったが、左右の手前側回転ドラムの奥側にそれぞれ配設されている奥側回転ドラムの数は、互いに異なっていても良い。
【００９９】
さらに、前記実施形態では、二つの手前側回転ドラム７６ａ，７６ｂが同一直線上に位置せしめられていると共に、二つの奥側回転ドラム８０ａ，８０ｂも同一直線上に位置せしめられていたが、二つの手前側回転ドラム７６ａ，７６ｂは同一直線上に位置せしめられている必要はなく、また、二つの奥側回転ドラム８０ａ，８０ｂも同一直線上に位置せしめられている必要もない。
【０１００】
更にまた、前記実施形態では、二つの手前側回転ドラム７６ａ，ｂの奥側に二つの奥側回転ドラム８０ａ，ｂが配設されていたが、二つの手前側回転ドラム７６ａ，ｂの奥側に一つの回転ドラムが配設されるようにしても良いし、或いは、一つの回転ドラムの奥側に二つの回転ドラムが配設されるようにしても良い。
【０１０１】
また、前記実施形態では、手前側回転ドラム７６と奥側回転ドラム８０がそれぞれ二つずつ採用されていたが、手前側回転ドラム７６と奥側回転ドラム８０をそれぞれ一つずつ採用するようにしても良い。
【０１０２】
さらに、回転ドラム７２のテーパ角度：αは、前記実施形態の範囲に限定されるものではなく、例えば、本発明を第二種パチンコ機に適用する場合には、回転ドラム７２のテーパ角度：αは、最大４５度まで設定可能である。
【０１０３】
また、前記実施形態では、二つの奥側回転ドラム８０ａ，ｂに挟まれる位置に入側開口１０２が形成されていたが、二つの奥側回転ドラム８０ａ，ｂの奥側にそれぞれ入側開口（入球口）が形成されていても良い。更に、手前側回転ドラム７６によって奥側に誘導されたが、奥側回転ドラム８０によって奥側に誘導されなかった遊技球が入球可能な手前側入口を入側開口１０２（入球口）のほかに形成するようにしても良く、この場合、手前側入口よりも入側開口１０２（入球口）のほうが遊技者にとってメリットがあるように設定されることとなる。
【０１０４】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【０１０５】
上記実施形態から把握できる技術的思想について以下に記載する。
（１）遊技球を転動せしめるためのステージが形成されたセンター役物を遊技領域の略中央に備えているパチンコ機において、
前記ステージが、手前側に位置せしめられるフロントフロアと、一軸回りに回動可能な状態で該フロントフロアから奥側に向かって前後方向に並べられるように配設された複数の回転ローラを含んで構成されていると共に、それら複数の回転ローラには、それぞれの外周面の適当な部位に、遊技球を吸着するための磁石が設けられており、該複数の回転ローラを回転せしめるための駆動手段によって該複数の回転ローラが回転せしめられることで、該フロントフロアを転動せしめられる遊技球が、該複数の回転ローラのうち最も手前側に配設された最手前ローラから最も奥側に配設された最奥ローラまで該複数の回転ローラを乗り継ぐようにして該フロントフロアより奥側の高い位置まで導かれるようになっていると共に、該最奥ローラによって該遊技球が導かれる前記センター役物の奥方には入球口が形成されており、該複数の回転ローラで導かれた該遊技球が該入球口に入球可能とされていることを特徴とするパチンコ機。
【０１０６】
（２）前記複数の回転ローラのうち前後方向に隣り合って配設された二つの回転ローラの隙間寸法が該回転ローラの軸方向の全長に亘って遊技球の直径よりも小さくされている技術的思想（１）に記載のパチンコ機。
【０１０７】
（３）前記複数の回転ローラが、何れも、上半周の表面が手前側から奥側に向かって回転する同一方向に回転駆動されるようになっており、前記フロントフロアの遊技球が前記最手前ローラで吸着されることにより該フロントフロアから持ち上げられる方向に変位せしめられる技術的思想（１）又は（２）に記載のパチンコ機。
【０１０８】
（４）前後方向に互いに隣り合って配設された前記回転ローラが、互いに異なる角速度で前記一軸回りに回転せしめられる技術的思想（１）乃至（３）の何れかに記載のパチンコ機。
【０１０９】
（５）前後方向に互いに隣り合って配設された前記回転ローラにおいて、前記磁石の位置が軸方向で相互に異なっている技術的思想（１）乃至（４）の何れかに記載のパチンコ機。
【０１１０】
（６）前後方向に互いに隣り合って配設された前記回転ローラ間での前記遊技球の乗り継ぎが選択的に行われるようにするローラ間選別手段を設けると共に、該ローラ間選別手段での選別により該回転ローラ間での乗り継ぎがされなかった該遊技球を処理する処理路を設けた技術的思想（１）乃至（５）の何れかに記載のパチンコ機。
【０１１１】
（７）前記フロントフロアにおいて転動する前記遊技球の前記最手前ローラによる吸着が選択的に行われるようにするフロント選別手段を設けると共に、該フロント選別手段での選別により該最手前ローラに吸着されなかった該遊技球を排出する排球路を設けた技術的思想（１）乃至（６）の何れかに記載のパチンコ機。
【０１１２】
（８）前記最手前ローラが少なくとも二つ配設されており、少なくとも一つの最手前ローラの奥側に並ぶように配設された前記回転ローラの数が他の最手前ローラの奥側に並ぶように配設された該回転ローラの数と異なっている技術的思想（１）乃至（７）の何れかに記載のパチンコ機。
【０１１３】
（９）前記最手前ローラが少なくとも二つ配設されており、それらの該最手前ローラの奥側に並ぶように配設された前記回転ローラの数が互いに同じとされている技術的思想（１）乃至（７）の何れかに記載のパチンコ機。
【０１１４】
（１０）少なくとも二つ配設された前記最手前ローラのうち隣り合う二つの該最手前ローラが前記ステージの奥行方向で相互にずれていると共に、該隣り合う最手前ローラの一方の奥側に並ぶように配設された少なくとも一つの前記回転ローラと該隣り合う最手前ローラの他方の奥側に並ぶように配設された少なくとも一つの該回転ローラが該ステージの奥行方向で相互にずれている技術的思想（８）又は（９）に記載のパチンコ機。
【０１１５】
（１１）前記ステージの奥行き方向で互いに隣り合って配設された前記回転ローラの数が異なっている技術的思想（１）乃至（７）の何れかに記載のパチンコ機。
【０１１６】
技術的思想の第一の態様は、遊技球を転動せしめるためのステージが形成されたセンター役物を遊技領域の略中央に備えているパチンコ機において、前記ステージが、手前側に位置せしめられるフロントフロアと、一軸回りに回動可能な状態で該フロントフロアから奥側に向かって前後方向に並べられるように配設された複数の回転ローラを含んで構成されていると共に、それら複数の回転ローラには、それぞれの外周面の適当な部位に、遊技球を吸着するための磁石が設けられており、該複数の回転ローラを回転せしめるための駆動手段によって該複数の回転ローラが回転せしめられることで、該フロントフロアを転動せしめられる遊技球が、該複数の回転ローラのうち最も手前側に配設された最手前ローラから最も奥側に配設された最奥ローラまで該複数の回転ローラを乗り継ぐようにして該フロントフロアより奥側の高い位置まで導かれるようになっていると共に、該最奥ローラによって該遊技球が導かれる前記センター役物の奥方には入球口が形成されており、該複数のローラで導かれた該遊技球が該入球口に入球可能とされていることを、特徴とする。
【０１１７】
このような本態様に従う構造とされたパチンコ機においては、外周面の適当な部位に遊技球を吸着するための磁石が設けられた回転ローラが複数採用されていると共に、かかる複数の回転ローラがフロントフロアから奥側に向かって前後方向に並べられるように配設された状態で駆動手段によって回転せしめられることにより、フロントフロアを転動せしめられる遊技球が複数の回転ローラのうち最も手前側に配設された最手前ローラから最も奥側に配設された最奥ローラまで複数の回転ローラを乗り継ぐようにしてフロントフロアより奥側の高い位置まで導かれるようになっていることから、遊技球がフロントフロアから複数の回転ローラを乗り継いでフロントフロアより奥側の高い位置まで導かれる際の動きに様々なバリエーションをもたせて、遊技者が遊技球の動きを予測し難くすることが可能となる。
【０１１８】
従って、本態様に係るパチンコ機においては、遊技球の動きに対して遊技者の興味を惹きつけることが可能となり、それによって、遊技者を楽しませることが可能となる。
【０１１９】
特に、本態様においては、遊技球の動きが様々なバリエーションをもっていることから、遊技者に遊技球の動きを予測する楽しみも与えることが可能となり、それによって、遊技者を一層楽しませることが可能となる。
【０１２０】
また、本態様においては、複数のローラによって導かれた遊技球はセンター役物の奥方に形成された入球口に入球可能とされていることから、遊技球の動き、延いては、遊技球が入球口に入球するか否かということに対して、遊技者の興味をより一層惹きつけることが可能となる。
【０１２１】
さらに、本態様においては、遊技球が複数の回転ローラによってフロントフロアよりも奥側の高い位置に導かれるようになっていることから、遊技球の動きを遊技者に見えやすくすることが可能となる。
【０１２２】
技術的思想の第二の態様は、前記第一の態様に係るパチンコ機において、前記複数の回転ローラのうち前後方向に隣り合って配設された二つの回転ローラの隙間寸法が該回転ローラの軸方向の全長に亘って遊技球の直径よりも小さくされていることを、特徴とする。このような本態様に従う構造とされたパチンコ機においては、前後方向に隣り合って配設された二つの回転ローラの隙間寸法が各回転ローラの軸方向の全長に亘って遊技球の直径よりも小さくされていることから、前後方向に隣り合って配設された二つの回転ローラを乗り継ぐようにして遊技球が動く際に、遊技球が前後方向に隣り合って配設された二つの回転ローラの間から抜け落ちないようにすることが可能となる。
【０１２３】
技術的思想の第三の態様は、前記第一又は第二の態様に係るパチンコ機において、前記複数の回転ローラが、何れも、上半周の表面が手前側から奥側に向かって回転する同一方向に回転駆動されるようになっており、前記フロントフロアの遊技球が前記最手前ローラで吸着されることにより該フロントフロアから持ち上げられる方向に変位せしめられることを、特徴とする。このような本態様に従う構造とされたパチンコ機においては、複数の回転ローラの何れもが上半周の表面が手前側から奥側に向かって回転する同一方向に回転駆動せしめられるようになっており、しかも、フロントフロアを転動せしめられる遊技球が最手前ローラで吸着されることによりフロントフロアから持ち上げられる方向に変位せしめられるようになっていることから、遊技球が複数の回転ローラのそれぞれの上半周面を乗り継ぐようにしてフロントフロアよりも奥側の高い位置に導かれることとなり、それによって、遊技球の動きを遊技者に見えやすくすることが可能となる。
【０１２４】
技術的思想の第四の態様は、前記第一乃至第三の何れかの態様に係るパチンコ機において、前後方向に互いに隣り合って配設された前記回転ローラが、互いに異なる角速度で前記一軸回りに回転せしめられることを、特徴とする。このような本態様に従う構造とされたパチンコ機においては、前後方向に互いに隣り合って配設された回転ローラを乗り継ぐようにして遊技球が動く際の遊技球の動きに変化を与えることが可能となる。
【０１２５】
技術的思想の第五の態様は、前記第一乃至第四の何れかの態様に係るパチンコ機において、前後方向に互いに隣り合って配設された前記回転ローラにおいて、前記磁石の位置が軸方向で相互に異なっていることを、特徴とする。このような本態様に従う構造とされたパチンコ機においては、前後方向に互いに隣り合って配設された回転ローラにおいて磁石の位置が軸方向で相互に異なっていることから、遊技球が複数の回転ローラを乗り継ぐようにしてフロントフロアよりも奥側の高い位置に導かれるに際して、回転ローラの軸方向への動きが積極的に生ぜしめられることとなり、それによって、遊技球の動きを一層多様化することが可能となる。
【０１２６】
技術的思想の第六の態様は、前記第一乃至第五の何れかの態様に係るパチンコ機において、前後方向に互いに隣り合って配設された前記回転ローラ間での前記遊技球の乗り継ぎが選択的に行われるようにするローラ間選別手段を設けると共に、該ローラ間選別手段での選別により該回転ローラ間での乗り継ぎがされなかった該遊技球を処理する処理路を設けたことを、特徴とする。このような本態様に従う構造とされたパチンコ機においては、ローラ間選別手段によって前後方向に互いに隣り合って配設された回転ローラの間での遊技球の乗り継ぎが選択的に行われるようになっていることから、全ての遊技球が最奥ローラまで導かれないようにすることが可能となり、それによって、遊技球の動きに対して遊技者の興味を一層惹きつけることが可能となる。
【０１２７】
また、本態様においては、ローラ間選別手段での選別により前後方向に互いに隣り合って配設された回転ローラの間での乗り継ぎがされなかった遊技球を処理する処理路が設けられていることから、ローラ間選別手段での選別により前後方向に互いに隣り合って配設された回転ローラの間での乗り継ぎがなされなかった遊技球が前後方向に互いに隣り合って配設された回転ローラの間で停留しないようにすることが可能となる。
【０１２８】
技術的思想の第七の態様は、前記第一乃至第六の何れかの態様に係るパチンコ機において、前記フロントフロアにおいて転動する前記遊技球の前記最手前ローラによる吸着が選択的に行われるようにするフロント選別手段を設けると共に、該フロント選別手段での選別により該最手前ローラに吸着されなかった該遊技球を排出する排球路を設けたことを、特徴とする。このような本態様に従う構造とされたパチンコ機においては、フロントフロアにおいて転動する遊技球の最手前ローラによる吸着が選択的に行われるようにするフロント選別手段が設けられていることから、フロントフロアにおいて転動せしめられる遊技球の全てが最手前ローラによって吸着されないようにすることが可能となり、それによって、遊技球の動きに対して遊技者の興味を一層惹きつけることが可能となる。
【０１２９】
また、本態様においては、フロント選別手段での選別により最手前ローラに吸着されなかった遊技球を排出する排出路が設けられていることから、フロント選別手段での選別により最手前ローラに吸着されなかった遊技球がフロントフロアに停留することを有利に回避することが可能となる。
【０１３０】
技術的思想の第八の態様は、前記第一乃至第七の態様に係るパチンコ機において、前記最手前ローラが少なくとも二つ配設されており、少なくとも一つの最手前ローラの奥側に並ぶように配設された前記回転ローラの数が他の最手前ローラの奥側に並ぶように配設された該回転ローラの数と異なっていることを、特徴とする。このような本態様に従う構造とされたパチンコ機においては、遊技球の動きを一層多様化することが可能となる。
【０１３１】
技術的思想の第九の態様は、前記第一乃至第七の態様に係るパチンコ機において、前記最手前ローラが少なくとも二つ配設されており、それらの該最手前ローラの奥側に並ぶように配設された前記回転ローラの数が互いに同じとされていることを、特徴とする。このような本態様に従う構造とされたパチンコ機においては、遊技球の動きを一層多様化することが可能となる。
【０１３２】
技術的思想の第十の態様は、前記第八又は第九の態様に係るパチンコ機において、  少なくとも二つ配設された前記最手前ローラのうち隣り合う二つの該最手前ローラが前記ステージの奥行方向で相互にずれていると共に、該隣り合う最手前ローラの一方の奥側に並ぶように配設された少なくとも一つの前記回転ローラと該隣り合う最手前ローラの他方の奥側に並ぶように配設された少なくとも一つの該回転ローラが該ステージの奥行方向で相互にずれていることを、特徴とする。このような本態様に従う構造とされたパチンコ機においては、遊技球の動きを一層多様化することが可能となる。
【０１３３】
技術的思想の第十一の態様は、前記第一乃至第七の何れかの態様に係るパチンコ機において、前記ステージの奥行き方向で互いに隣り合って配設された前記回転ローラの数が異なっていることを、特徴とする。このような本態様に従う構造とされたパチンコ機においては、遊技球の動きを一層多様化することが可能となる。
【符号の説明】
【０１３４】
１０  パチンコ機
３４  遊技領域
４４  センター飾り
６６  フロントフロア
７２  回転ドラム
７４  テーパ筒状外周面
７６  手前側回転ドラム
８０  奥側回転ドラム
１０２  入側開口
１０６  永久磁石
１１６  駆動モータ
【図１】
2010042305.tif 000003
【図２】
2010042305.tif 000004
【図３】
2010042305.tif 000005
【図４】
2010042305.tif 000006
【図５】
2010042305.tif 000007
【図６】
2010042305.tif 000008
【図７】
2010042305.tif 000009
【図８】
2010042305.tif 000010
【図９】
2010042305.tif 000011
【図１０】
2010042305.tif 000012
【図１１】
2010042305.tif 000013
【図１２】
2010042305.tif 000014
【図１３】
2010042305.tif 000015
【図１４】
2010042305.tif 000016
【図１５】
2010042305.tif 000017
【図１６】
2010042305.tif 000018